(57)【要約】【課題】３D画像の自動生成、及び、自動画像フォーマット転換のシステムを提供する。【解決手段】本発明のコンピュータにより３D回転盤、及び、画像取り込み装置が同時撮影を実行して、画像再生フォーマットに自動転換するシステムは、３D回転盤、３D回転盤制御モジュール、画像取り込み装置、画像取り込み装置制御モジュール、及び、画像フォーマット自動転換モジュール、からなり、立体被写体を３D回転盤上の各回転固定角度に置き、画像取り込み装置が撮影を実行する。３D回転盤が一回転すると、画像取り込み装置は、多数枚の画像を完成してコンピュータに保存し、画像フォーマット自動転換モジュールにより画像取り込み装置が生成する画像フォーマットを自動再生可能な画像フォーマットに転換する。画像生成、及び、画像再生フォーマット転換は全て全自動で、使用者は、被写体を３D回転盤上に放置して、コンピュータ上で、一回転で撮影したい枚数を選択して起動させれば、自動的に、被写体回転の再生可能な画像フォーマットが完成する。【選択図】図２
2007200116.tif 000002
【特許請求の範囲】
【請求項１】
コンピュータ制御により、３D回転盤、及び、画像取り込み装置が同時撮影すると共に、画像再生フォーマットに自動転換するシステムであって、
放置プラットホームを提供すると共に、前記放置プラットホームを回転させる３D回転盤と、
前記３D回転盤の回転を制御する３D回転盤制御モジュールと、
３D回転盤の回転動作に基づいて、前記放置プラットホーム上の被写体を取り込み、複数の画像を生成する画像取り込み装置と、
前記画像取り込み装置の取り込みを制御する画像取り込み制御モジュールと、
前記画像取り込み装置が生成するそれらの画像の画像フォーマットを転換する画像フォーマット自動転換モジュールと、
からなることを特徴とするシステム。
【請求項２】
更に、コンピュータを有し、前記画像フォーマット自動転換モジュールと、前記３D回転盤制御モジュールと、前記画像取り込み装置制御モジュールは、前記コンピュータ内に格納されることを特徴とする請求項１に記載のシステム。
【請求項３】
前記３D回転盤は、更に、３D回転盤を駆動する制御カードを有し、前記制御カードは、前記３D回転盤の一部分か、或いは、単独で存在することを特徴とする請求項１に記載のシステム。
【請求項４】
前記画像取り込み装置は、デジタルカメラ、CCD式カメラ、或いは、ウェブカメラ（Web  Camera）であることを特徴とする請求項１に記載のシステム。
【請求項５】
前記コンピュータ、前記３D回転盤、及び、前記画像取り込み装置は、複数の信号制御線により連接されることを特徴とする請求項２に記載のシステム。
【請求項６】
前記信号制御線は、USB、IEEE1394、RS232、或いは、その他の信号制御線であることを特徴とする請求項５に記載のシステム。
【請求項７】
前記コンピュータは、前記３D回転盤、及び、前記画像取り込み装置を制御して、自動同時撮影方式で画像を生成することを特徴とする請求項２に記載のシステム。
【請求項８】
前記画像フォーマット自動転換モジュールは、前記画像取り込み装置が生成する前記の画像フォーマットを再生可能な画像フォーマットのモジュールに転換することを特徴とする請求項１に記載のシステム。
【請求項９】
前記画像取り込み装置制御モジュール、前記３D回転盤制御モジュール、及び、前記画像フォーマット自動転換モジュールは、単一のモジュールに整合してもよいし、或いは、各組モジュールが別に存在してもよいし、或いは、任意の二つのモジュールを一つに整合してもよいことを特徴とする請求項１に記載のシステム。
【請求項１０】
前記画像フォーマット自動転換モジュールは、画像撮影完成後、コンピュータにより、前記モジュールを自動的に起動して、画像フォーマットの転換を完成することを特徴とする請求項１に記載のシステム。
【発明の詳細な説明】
【技術分野】
【０００１】
本発明は、３D画像自動生成、及び、画像フォーマット自動転換のシステムに関するものであって、特に、コンピュータ制御により、３D回転盤、及び、画像取り込み装置が同時撮影を進行し、画像再生フォーマットに自動転換するシステムに関するものである。
【背景技術】
【０００２】
手動式により回転３D回転盤を回転させて、立体物の各回転角度の撮影を実行する方法が長らく採用されているが、画像フォーマットの転換は煩雑で、且つ、再生可能で、はっきりとした画像フォーマットに精確に合成するのが困難なため、操作に時間を費やす。近年、デジタルカメラが幅広く使用されているが、コンピュータ制御によるデジタルカメラ撮影はまだ普遍的ではない。多くの手動で３D回転盤を自動方式に変更する者は、デジタルカメラの同時制御に詳しくないので、コンピュータ制御により３D回転盤と画像取り込み装置が全自動で画像撮影を完成する功能の整合を充分に発揮できない。また、画像取り込み装置が生成する多くの画像は、そのフォーマットが、RAW  DATA、JPG、TIFF、或いは、その他のフォーマットであるが、多くの画像が構成する画像ファイルが占有する容量が大きすぎ、手動により、各画像を逐一開き、低いレベル（例えば、２５６色）の画像フォーマットに転換し、最後に、それを再生可能な物体回転の画像フォーマット（例えば、GIF）に合成しなければならないので、その操作工程は相当複雑で、時間を費やす。
【０００３】
よって、コンピュータ制御により３D回転盤と画像取り込み装置が同時撮影し画像を生成すると共に、画像取り込み装置が生成する画像フォーマットを自動転換し、再生可能な画像フォーマットに整合し、どんな人でも撮影の高度なテクニック不要で、また、画像フォーマット転換モジュールも必要とせず、簡単に、全自動で高品質の３D再生画像が完成できて、サンプル３D画像をビジネスコミュニケーションにして、普遍化させることが理想である。
【発明の開示】
【発明が解決しようとする課題】
【０００４】
解決しようとする課題は、コンピュータ制御の３D回転盤、及び、画像取り込み装置が同時撮影を進行し、画像再生フォーマットに自動転換するシステムを提供することである。
【課題を解決するための手段】
【０００５】
上述の目的を達成するため、本発明は、コンピュータ制御により３D回転盤、及び、画像取り込み装置が同時撮影を進行し、画像再生フォーマットに自動転換するシステムを提供することで、コンピュータ、３D回転盤、画像取り込み装置、及び、画像フォーマット自動転換モジュール、からなり、立体被写体を３D回転盤上の各回転固定角度に置き、画像取り込み装置が撮影を実行する。３D回転盤が一回転すると、画像取り込み装置は、多数枚の画像を完成してコンピュータに保存し、画像フォーマット自動転換モジュールにより画像取り込み装置が生成する画像フォーマットを自動再生可能な画像フォーマットに転換する。
【発明の効果】
【０００６】
本発明の提供する３D画像の自動生成、及び、自動画像フォーマット転換のシステムにより、高度な撮影技術を有していなくても、また、画像フォーマット転換モジュールを使用しなくても、簡単に、高品質の３D再生可能画像が自動的に完成できる。
【発明を実施するための最良の形態】
【０００７】
図１は、本発明の自動同時撮影、及び、自動画像フォーマット転換のシステムを示す図で、３D回転盤制御モジュール１４、画像取り込み装置制御モジュール１５、及び、画像フォーマット自動転換モジュール１６がコンピュータ１０中に装着されている。画像取り込み装置制御モジュール１５は、ユニバーサル・シリアル・バス（USB）１１により画像取り込み装置２０の撮影を制御し、同時に、３D回転盤制御モジュール１４は、USB１２により、制御カード３０を利用して、３D回転盤４０の回転を制御する。制御カード３０は、電源線５０により３D回転盤４０の電源を供給し、３D回転盤４０が回転してある位置で定位する時、信号線１３は、制御カード３０により、更に、USB１２を利用して、コンピュータ１０に通知する。コンピュータ１０は、画像取り込み装置２０に、被写体２１に対し撮影の実行を通知する。撮影完成後得られた画像は、画像フォーマット自動転換モジュール１６により、再生できる画像ファイルに自動的に完成する。
【０００８】
図２は、本発明のシステムのフローチャートである。工程１において、被写体を３D回転盤上に置く。工程２において、コンピュータ中の３D回転盤制御モジュール、画像取り込み装置制御モジュール、画像フォーマット自動転換モジュールのプログラム実行後、コンピュータパネルのユーザー界面上で、３D回転盤が回転して、撮影したい画像個数、及び、相隣する画像間の再生時間間隔を選択する。工程３において、コンピュータパネル上のユーザー界面上で、自動同時撮影システムを起動する。工程４において、各パラメータ設定完成後、自動同時撮影を実行開始する。コンピュータは３D回転盤の各回転のグリッドを制御し、画像取り込み装置は、３D回転盤が一回転するまで、画像の撮影を同時進行する。工程５において、３D回転盤の一回転を待って、３D画像の回転作業を完成し、画像取り込み装置により生成される画像は、USBにより、コンピュータ内に予め指定されたフォルダ（Folder）内に伝送し、撮影を完成する。工程６において、全部の画像撮影完成後、コンピュータを起動して、予め指定したフォルダ内から、撮影された画像を自動的に取り出し、画像フォーマット自動転換モジュールにより、多数の占有容量が小さい画像フォーマットに転換し、最後に、直接被写体を再生できる回転状況の画像フォーマットに合成する。
【０００９】
以上のシステム作業工程において、コンピュータ自動制御による３D回転盤と画像取り込み装置の同時撮影は、完成される画像フォーマットが、画像取り込み装置の出力画像フォーマットで、出力画像フォーマットは、全ての画像撮影後、コンピュータにより、画像フォーマット自動転換モジュールで、この出力画像フォーマットを、逐一、占有容量が低い画像フォーマットに転換すると共に、３D再生可能な画像フォーマットに自動的に合成し、つまり、画像生成から３D再生可能な画像フォーマットに転換し、コンピュータ制御により全自動で完成する。
【００１０】
図３は、本発明の３D回転盤４０の回路構造を示す図であり、コンピュータ１０が如何にして、制御カード３０により、３D回転盤４０を制御し、信号をコンピュータ１０に送信し、その中の画像取り込み装置制御モジュール１５を利用して、画像取り込み装置２０の同時撮影を制御するかが理解できる。図３中、コンピュータ１０は、USB１２、及び、USB界面IC３１により、コンピュータ１０内の３D回転盤を制御指令し、CPU３２、及び、モーター駆動IC３３により、モーター４１の加圧時間を制御し、電源線５０によりモーター４１の回転回数を制御する。モーター４１が回転する時、ラスター４４、及び、ギア４２を帯動し、ギア４２は、３D回転盤４０の回転を帯動する。ラスター４４は円孔を有するディスク片で、モーター４１が一回転すると、センサー４５が円孔からそれを察知すると共に、回転数信号を信号線１３、及び、デコーダー３４により、回転数が設定値になるまで、CPU３２に伝達する。AC−DC変圧器３５は、変圧功能を提供する以外に、AC電流をDC電流に転換して、モーター４１に提供することもできる。
【００１１】
図４は、本発明の３D回転盤４０の構造側視図で、図５は、本発明の３D回転盤４０の構造上視図である。３D回転盤４０は、ベース５３と盤面５４を有し、ベース５３は、３D回転盤４０の下半分を包覆する。ベース５３と盤面５４の間に、複数のローラー５５を設置し、ローラー５５により、盤面５４上に置かれた被写体２１（図１で示される）の重量を支承すると共に、盤面５４を円滑に回転させる。盤面５４は、回転主軸４６を中心軸とし、且つ、固定ねじ４９により、回転主軸４６上に固定される。モーター４１が回転する時、ラスター４４、及び、ギア４２の回転を帯動し、ギア４２は、ギア４３の回転を帯動し、また、ギア４３と３D回転盤の盤面５４底部が連通する。これにより、ギア４３は、盤面５４、及び、回転主軸４６の回転を帯動し、回転主軸４６が回転する時、その側辺は、オイルレスベアリング４７と摩擦し、同時に、止滑ねじ４８により、回転主軸４６が飛脱するのを防止することができる。次に、ベース５３に、電源ジャック５１、及び、信号ジャック５２を有し、制御カード３０（図１で示される）の電源線、及び、信号線の入力を提供する。
【００１２】
上述のように、本発明の提供する３D画像の自動生成、及び、自動画像フォーマット転換のシステムは、コンピュータにより３D回転盤、及び、画像取り込み装置が同時撮影を実行して、画像を自動生成し、画像フォーマット自動転換モジュールにより、高度な撮影技術を有していなくても、また、画像フォーマット転換モジュールを使用しなくても、楽に、高品質の３D再生可能画像が自動的に完成できる。
【００１３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１４】
【図１】本発明のシステムを示した図である。
【図２】本発明のシステム作業のフローチャートである。
【図３】３D回転盤の回路構造を示す図である。
【図４】３D回転盤の機構側視図である。
【図５】３D回転盤の機構上視図である。
【符号の説明】
【００１５】
１０…コンピュータ
１１…USB
１２…USB
１３…信号線
１４…回転盤制御モジュール
１５…画像取り込み装置制御モジュール
１６…画像フォーマット自動転換モジュール
２０…画像取り込み装置
２１…被写体
３０…制御カード
３１…USB界面
３２…CPU
３３…モーター駆動IC
３４…デコーダ
３５…AD-DCコンバータ
４０…３D回転盤
４１…モーター
４２…ギア
４３…ギア
４４…ラスター
４５…センサー
４６…回転主軸
４７…オイルレスベアリング
４８…止滑ねじ
４９…固定ねじ
５０…電源線信号線被写体
５１…電源ジャック
５２…信号ジャック
５３…ベース
５４…盤面
５５…ローラー
【図１】
2007200116.tif 000003
【図２】
2007200116.tif 000004
【図３】
2007200116.tif 000005
【図４】
2007200116.tif 000006
【図５】
2007200116.tif 000007